(57)【要約】【課題】プラグを接続していない状態でトラッキング検出用電極を外部から目視できない位置に配置したコンセントを提供する。【解決手段】コンセントＡは、栓刃挿入口４ａを通して挿入される栓刃に電気的に接続される刃受部材と、栓刃挿入口４ａを閉塞する位置と開放する位置との間で移動自在に配置され、栓刃の押力を受け扉付勢ばね２３のばね力に抗して開方向へ移動する扉部材９と、扉部材９が鍔部１１ｃを押圧して検出電極付勢ばね１５を伸縮させることで、プラグ接続時に検出電極挿通孔５から外側に突出する位置と非接続時に検出電極挿通孔５の内側に後退する位置との間で前後方向に進退自在に配置された検出電極１１と、栓刃挿入口４ａに挿入される栓刃と検出電極１１との間に流れる電流からトラッキングを検出するトラッキング検出手段と、トラッキング検出手段がトラッキングを検出すると刃受部材と電源との間を電気的に遮断する遮断手段とを備える。【選択図】図１
2008159479.tif 000002
【特許請求の範囲】
【請求項１】
プラグの栓刃がそれぞれ挿入される２個で１組の栓刃挿入口が前面に開口する器具本体と、器具本体の内部にそれぞれ収納され、各栓刃挿入口を通して挿入される栓刃に電気的に接続されるとともに電源に接続される複数の刃受部材と、各栓刃挿入口を閉塞する閉位置と開放する開位置との間で移動自在に配置され、扉付勢ばねによって閉方向に付勢されるとともに、栓刃で押されることにより扉付勢ばねのばね力に抗して開方向へ移動する扉部材と、器具本体の前面において組をなす２個の栓刃挿入口の間に開口する検出電極挿通孔と、プラグの接続時において検出電極挿通孔から外側に突出してプラグと当接する検出電極と、栓刃挿入口に挿入される栓刃と検出電極との間に流れる電流からトラッキングを検出するトラッキング検出手段と、トラッキング検出手段がトラッキングを検出すると刃受部材と電源との間を電気的に遮断する遮断手段とを備え、一端側が器具本体の底部側に固定されるとともに他端側が検出電極に接続された検出電極付勢ばねを設け、検出電極を、検出電極挿通孔から外側に突出する突出位置と、検出電極挿通孔の内側に後退する退避位置との間で前後方向に進退自在とし、扉部材の閉方向への移動に応じて扉部材から押されることによって、検出電極付勢ばねの付勢力に抗して検出電極を退避位置に移動させる押力を発生させる突部を検出電極に設けたことを特徴とするコンセント。
【請求項２】
前記扉部材に、閉位置に近い側で前記突部が当接する部位ほど、器具本体の底部側により近い位置で当接するように傾斜する傾斜面を設けたことを特徴とする請求項１記載のコンセント。
【請求項３】
前記傾斜面は、前記扉部材が開位置に移動した状態でも前記突部が傾斜部位に当接するように形成されたことを特徴とする請求項２記載のコンセント。
【請求項４】
検出電極付勢ばねに対して前記傾斜面と反対側に配置され、前記突部が前記傾斜面に当接して押された際に、検出電極付勢ばねと当接することによって検出電極付勢ばねが前記傾斜面と反対側に撓められるのを規制する撓み規制壁を設けたことを特徴とする請求項２又は３の何れか１項に記載のコンセント。
【請求項５】
前記扉部材が、検出電極を間にして両側に配置され、互いに近付く向き又は遠ざかる向きに移動することによって、２個１組の栓刃挿入口を１個ずつ開閉する２個の扉体で構成されたことを特徴とする請求項１記載のコンセント。
【請求項６】
前記突部の４隅の内、２箇所を押さえる押さえ部を一方の扉体に、残りの２箇所を押さえる押さえ部を他方の扉体にそれぞれ設けたことを特徴とする請求項５記載のコンセント。
【請求項７】
各扉体が閉位置に移動した状態で、器具本体の前壁裏側と当接することによって、各扉体の前面側への移動を規制する浮き上がり防止手段を各扉体に設けたことを特徴とする請求項５又は６の何れか１項に記載のコンセント。
【請求項８】
２個の扉体の各々に、他方の扉体において栓刃挿入口を閉塞する部位の後方に配置され、片刃挿入時に挿入された栓刃と当接する片刃挿入防止用の当接部を設けたことを特徴とする請求項５記載のコンセント。
【発明の詳細な説明】
【技術分野】
【０００１】
本発明は、トラッキング現象の発生を検知する機能を備えたコンセントに関するものである。
【背景技術】
【０００２】
この種のコンセントとしては、一対の栓刃挿入口の間に接地極を配置しておき、トラッキング現象によりプラグの栓刃の間に炭化部分が発生した場合には、この炭化部分に接地極を接触させることで漏電現象を発生させ、漏電ブレーカを作動させて、トラッキング現象を感知するようにしたものが従来提案されていた（例えば、特許文献１参照）。
【０００３】
また、他のコンセントとして、一対の栓刃挿入口の間にトラッキング検出用電極を設け、トラッキング現象により栓刃挿入口に挿入された栓刃とトラッキング検出用電極との間に流れる電流を検出することでトラッキング現象を検知し、通電を遮断するようにしたものも従来提案されていた（例えば特許文献２参照）。
【特許文献１】特開平９−２１３４２５号公報（段落［０００６］、及び、第１図、第１２図）
【特許文献２】特許第３５１３８４７号公報（段落［００１５］−［００１８］、及び、第１図）
【発明の開示】
【発明が解決しようとする課題】
【０００４】
上記特許文献１、２に示されるコンセントでは、プラグを接続していない場合に、接地極やトラッキング検出用電極が器具本体の前面に露出しているため、人体や物が接触する可能性がある。接地極やトラッキング検出用電極は接地してあれば感電の虞はないのであるが、接地極や検出用電極が視認可能な場所に配置されるため、使用者に不安を与える可能性があり、また接地極やトラッキング検出用電極が破損したり、汚れが付着する可能性もあった。
【０００５】
本発明は上記問題点に鑑みて為されたものであり、その目的とするところは、プラグを接続していない状態でトラッキング検出用電極を外部から目視できない位置に配置したコンセントを提供することにある。
【課題を解決するための手段】
【０００６】
上記目的を達成するために、請求項１の発明は、プラグの栓刃がそれぞれ挿入される２個で１組の栓刃挿入口が前面に開口する器具本体と、器具本体の内部にそれぞれ収納され、各栓刃挿入口を通して挿入される栓刃に電気的に接続されるとともに電源に接続される複数の刃受部材と、各栓刃挿入口を閉塞する閉位置と開放する開位置との間で移動自在に配置され、扉付勢ばねによって閉方向に付勢されるとともに、栓刃で押されることにより扉付勢ばねのばね力に抗して開方向へ移動する扉部材と、器具本体の前面において組をなす２個の栓刃挿入口の間に開口する検出電極挿通孔と、プラグの接続時において検出電極挿通孔から外側に突出してプラグと当接する検出電極と、栓刃挿入口に挿入される栓刃と検出電極との間に流れる電流からトラッキングを検出するトラッキング検出手段と、トラッキング検出手段がトラッキングを検出すると刃受部材と電源との間を電気的に遮断する遮断手段とを備え、一端側が器具本体の底部側に固定されるとともに他端側が検出電極に接続された検出電極付勢ばねを設け、検出電極を、検出電極挿通孔から外側に突出する突出位置と、検出電極挿通孔の内側に後退する退避位置との間で前後方向に進退自在とし、扉部材の閉方向への移動に応じて扉部材から押されることによって、検出電極付勢ばねの付勢力に抗して検出電極を退避位置に移動させる押力を発生させる突部を検出電極に設けたことを特徴とする。
【０００７】
請求項２の発明は、請求項１の発明において、扉部材に、閉位置に近い側で突部が当接する部位ほど、器具本体の底部側により近い位置で当接するように傾斜する傾斜面を設けたことを特徴とする。
【０００８】
請求項３の発明は、請求項２の発明において、傾斜面は、扉部材が開位置に移動した状態でも突部が傾斜部位に当接するように形成されたことを特徴とする。
【０００９】
請求項４の発明は、請求項２又は３の何れか１つの発明において、検出電極付勢ばねに対して傾斜面と反対側に配置され、突部が傾斜面に当接して押された際に、検出電極付勢ばねと当接することによって検出電極付勢ばねが傾斜面と反対側に撓められるのを規制する撓み規制壁を設けたことを特徴とする。
【００１０】
請求項５の発明は、請求項１の発明において、扉部材が、検出電極を間にして両側に配置され、互いに近付く向き又は遠ざかる向きに移動することによって、２個１組の栓刃挿入口を１個ずつ開閉する２個の扉体で構成されたことを特徴とする。
【００１１】
請求項６の発明は、請求項５の発明において、突部の４隅の内、２箇所を押さえる押さえ部を一方の扉体に、残りの２箇所を押さえる押さえ部を他方の扉体にそれぞれ設けたことを特徴とする。
【００１２】
請求項７の発明は、請求項５又は６の何れか１つの発明において、各扉体が閉位置に移動した状態で、器具本体の前壁裏側と当接することによって、各扉体の前面側への移動を規制する浮き上がり防止手段を各扉体に設けたことを特徴とする。
【００１３】
請求項８の発明は、請求項５の発明において、２個の扉体の各々に、他方の扉体において栓刃挿入口を閉塞する部位の後方に配置され、片刃挿入時に挿入された栓刃と当接する片刃挿入防止用の当接部を設けたことを特徴とする。
【発明の効果】
【００１４】
請求項１の発明によれば、プラグの非接続時に扉部材が閉位置に移動すると、扉部材が検出電極付勢ばねの付勢力に抗して突部を押すことによって、検出電極を検出電極挿通孔の内側に後退する位置に移動させているので、検出電極に人体が接触することはなく、使用者に安心感を与えることができ、また検出電極が汚れたり破損するのを防止できるという効果がある。さらに、プラグの接続時に扉部材が開位置に移動すると、検出電極付勢ばねのばね復帰力によって検出電極が検出電極挿通孔から外側に突出する位置に移動するので、検出電極をプラグに当接させることで、トラッキング検出手段によりトラッキング現象を確実に検出して、遮断手段により刃受部材への給電を確実に遮断させることができるという効果がある。さらに検出電極は前後方向において移動自在に配置されているので、上下方向又は左右方向の収納スペースを小さくできるという効果もある。
【００１５】
請求項２の発明によれば、扉部材の傾斜面に突部を当接させ、傾斜面に沿って突部をスライドさせることで、検出電極を突出位置と退避位置との間で移動させることができ、検出電極の動きをスムーズにできる。
【００１６】
請求項３の発明によれば、扉部材が開位置に移動した状態でも傾斜面の傾斜部位に突部が当接しているので、突部の動き出しをスムーズにでき、突出位置から退避位置に移動する際に検出電極を滑らかに移動させることができる。
【００１７】
請求項４の発明によれば、扉部材に突部が押されることで検出電極付勢ばねが扉部材と反対側に撓められると、検出電極付勢ばねが撓み規制壁に当接するので、検出電極付勢ばねの撓みを規制し、前後方向において伸縮させることができる。
【００１８】
請求項５の発明によれば、扉部材を１個の扉体で構成した場合は組を為す２個の栓刃挿入口の両方に跨って扉体を配置する必要があるが、扉部材を２個の扉体で構成しているので、各扉体は対応する１個の栓刃挿入口を閉塞するのに必要な大きさに形成すれば良く、栓刃挿入口の配列方向において扉体が占める占有空間を小さくできるという効果がある。さらに、２個の扉体は検出電極を間にして両側、つまり組を為す２個の栓刃挿入口の配列方向に沿って配置されており、各扉体は栓刃の短手方向に沿って移動するので、扉体が栓刃の長手方向に沿って移動する場合に比べてその移動範囲を短くでき、したがって扉体の収納スペースを小さくできるという効果がある。
【００１９】
請求項６の発明によれば、２個の扉体に設けた押さえ部で突部の４隅を押さえることによって、検出電極が安定した状態を保つことができ、検出電極の進退動作を安定して行わせることができるという効果がある。
【００２０】
請求項７の発明によれば、検出電圧が退避位置に移動した際に、検出電極付勢ばねのばね反力を受けて扉部材が浮き上がるのを浮き上がり防止手段で防止できるという効果がある。
【００２１】
請求項８の発明によれば、２個１組の栓刃挿入口の一方のみに栓刃が挿入された場合には、一方の扉体が栓刃に押されて栓刃挿入口を開放したとしても、他方の扉体の当接部に栓刃が当接することで、片方の栓刃挿入口のみに栓刃が挿入されたり、片刃挿入時に検出電極が外部に突出するのを防止できるという効果がある。
【発明を実施するための最良の形態】
【００２２】
以下に本発明の実施の形態を図面に基づいて説明する。
【００２３】
（実施形態１）
本発明の実施形態１を図１〜図９に基づいて説明する。尚、以下の説明では特に断りがないかぎり、図２中の矢印ａ，ｂを上下の方向、矢印ｃ，ｄを左右の方向、矢印ｅ，ｆを前後の方向と規定して説明を行う。
【００２４】
コンセントＡの器具本体１は、図１及び図２に示すように前面が開口した略箱状の後面側のボディ２と、後面が開口した略箱状の前面側のカバー３とを従来周知の結合手段を用いて結合することにより構成される。なお器具本体１は、埋込型配線器具を造営面に取り付けるための規格化された取付枠（図示せず）に取着可能な形状および大きさに形成されるとともに、取付枠に取着するための従来周知の器具取付手段（図示せず）が設けられており、本実施形態では例えば単位寸法（１連の取付枠に３個まで取着可能な大きさ）の埋込型配線器具を短幅方向（上下方向）に３個並べた大きさ（３個モジュール寸法）に形成されている。
【００２５】
カバー３の前面には、図１及び図２に示すようにプラグの電圧極の平行栓刃（図示せず）がそれぞれ挿入される２個１組の栓刃挿入口４ａ，４ａが上下方向の略中央に左右に並べて開口しており、栓刃挿入口４ａ，４ａの下側には接地極の丸ピン（図示せず）が挿入される挿入口４ｂが開口している。またカバー３の前面には、栓刃挿入口４ａ，４ａの中間位置に、上下方向に延びるスリット状の検出電極挿通孔５が開口している。
【００２６】
ボディ２の内部は、図３及び図４に示すように仕切り壁６によって複数の収納室に仕切られており、栓刃挿入口４ａ，４ａに対応する位置には電圧極の栓刃に電気的に接続される刃受部材７ａ，７ａをそれぞれ収納する２つの収納室８ａ，８ａが設けられ、栓刃挿入口４ｂに対応する位置には接地極の栓刃に電気的に接続される刃受部材７ｂを収納する収納室８ｂが設けられている。
【００２７】
ところで、図９はコンセントＡの内部回路図を示しており、コンセントＡは電源線がそれぞれ接続される接続端子Ｔａ，Ｔｂと、接地線が接続される接続端子Ｔｃとを備え、刃受部材７ａ，７ａが接続端子Ｔａ，Ｔｂに接続される電源線を介して外部の電源ＡＣに接続されるとともに、刃受部材７ｂが接続端子Ｔｃに接続される接地線を介して接地されている。またコンセントＡは、栓刃挿入口４ａに挿入される栓刃と検出電極１１との間に流れる電流を検出することによりトラッキングを検出する漏洩検出部１２（トラッキング検出手段）と、接続端子Ｔａ，Ｔｂと刃受部材７ａ，７ａとの間の電路にそれぞれ設けられ、漏洩検出部１２がトラッキングを検出すると、漏洩検出部１２により強制的に開極させられる接点１３，１３（遮断手段）と、刃受部材７ａ，７ａから電源が供給されて内部回路の動作電源を生成する電源回路１４とを備えている。
【００２８】
ここで、ボディ２の背面には電源線および接地線をそれぞれ挿入するための電線挿入口（図示せず）が開口するとともに、ボディ２内には電線挿入口を通して挿入される電源線および接地線にそれぞれ電気的に接続される速結端子構造の接続端子（図示せず）が収納され、これらの接続端子から上述の接続端子Ｔａ，Ｔｂ，Ｔｃが構成されている。
【００２９】
また、器具本体１の内部には、２個の栓刃挿入口４ａ，４ａを閉塞する閉位置と開放する開位置との間で移動自在に配置される扉部材９が収納されている。扉部材９は、図２及び図６に示すように前方から見た形状が逆Ｕ字形に形成された本体部９ａと、本体部９ａの両側片先端部（図６中の下側部）からそれぞれ左右方向の外側に張り出す翼片９ｂ，９ｂとを備えたもので、ボディ２の仕切り壁６上にスライド自在に載置される。
【００３０】
左右の翼片９ｂ，９ｂの下側面には、それぞれ、コイルばねからなる扉付勢ばね１０の一端側が圧入固定される突起９ｃ，９ｃが突設されている。ここで、図７（ａ）（ｂ）に示すようにカバー３の前壁裏面には、扉付勢ばね１０，１０の他端側の前側部を受けるばね受け台３ａ，３ａが突設されるとともに、扉部材９の翼片９ｂ，９ｂの上側縁に当接して扉部材９の閉方向への移動を規制する扉固定片（扉固定部）３ｂ，３ｂが突設されている。而して、図７（ｂ）に示すように扉付勢ばね１０，１０の他端側をばね受け台３ａ，３ａに当接させるとともに、翼片９ｂ，９ｂの上側部を扉固定片３ｂ，３ｂに当接させるようにして、カバー３の内部に扉部材９および扉付勢ばね１０，１０を配置すると、扉部材９の翼片９ｂ，９ｂが扉付勢ばね１０，１０のばね力によって扉固定片３ｂ，３ｂに押し付けられるので、扉部材９及び扉付勢ばね１０，１０をカバー３に仮保持させることができる。また図１、図３及び図４に示すように、ボディ２の仕切り壁６の上面には扉付勢ばね１０，１０の他端側の後側部を受けるばね受け台６ａ，６ａが形成されており、組立完了状態においてはばね受け台３ａ，６ａの間に扉付勢ばね１０の他端側が保持され、扉付勢ばね１０，１０によって扉部材９が閉方向に弾性付勢されている。
【００３１】
また各翼片９ｂには閉位置において栓刃挿入口４ａに臨む部位に傾斜面９ｄが形成されており、図１（ｄ）（ｅ）に示すように栓刃挿入口４ａに挿入されたプラグの栓刃（図示せず）が傾斜面９ｄを押すことによって、扉部材９をスライド移動させる方向の力が発生し、扉付勢ばね１０のばね力に抗して扉部材９が開方向にスライド移動するようになっている。本実施形態では扉部材９が２個１組の栓刃挿入口４ａ，４ａを同時に開閉するので、各栓刃挿入口４ａ毎に１個ずつ扉部材を設ける場合に比べて部品点数を少なくできるという利点がある。
【００３２】
またＵ字型の本体部９ａの両側片の後面には、後述する検出電極１１の鍔部１１ｃが当接する傾斜面９ｅが形成されている。この傾斜面９ｅは、閉位置に近い側で検出電極１１の鍔部１１ｃが当接する部位ほど、器具本体（つまりボディ２）の底部側により近い位置で当接するように傾斜している。また本体部９ａの両側片の間の溝は検出電極１１の先端側が挿通される挿通溝９ｆとなっており、挿通溝９ｆは、扉部材９が開位置と閉位置との間でスライド移動する間に、検出電極挿通孔５が挿通される範囲に亘って形成されている。
【００３３】
一方、器具本体１の内部には、検出電極挿通孔５から外側に突出する位置と内側に後退する位置との間で前後方向において進退自在に配置された検出電極１１が収納されている。検出電極１１は側面視の形状が略Ｚ字状に形成された導電板からなり、中央片の上下両側からそれぞれ反対向きに突出する２つの側片１１ａ，１１ｂの内、短い方の側片１１ｂの基部に突部を構成する円盤状の鍔部１１ｃを設けてあり、側片１１ｂにコイルばねからなる検出電極付勢ばね１５の一端側が圧入固定されている。またボディ２の底壁には検出電極挿通孔５の後方位置に円柱状の圧入突起１６が突設されており、この圧入突起１６に検出電極付勢ばね１５の他端側を圧入固定することで、検出電極１１が検出電極付勢ばね１５を介してボディ２に取着される（図５（ｂ）参照）。
【００３４】
ここで、図４（ａ）に示すように検出電極１１の側片１１ｂは、幅方向の両側縁にテーパ１１ｄ，１１ｄを形成することで楔状に形成してあり、先端が先細りとなっているので、検出電極付勢ばね１５の圧入作業を容易に行うことができる。また側片１１ｂの幅方向両側縁には、テーパ１１ｄよりも鍔部１１ｃに近い側に切欠１１ｅが形成されているので、図５（ｂ）に示すように検出電極１１の側片１１ｂを検出電極付勢ばね１５に圧入した際に検出電極付勢ばね１５の線材が切欠１１ｅに嵌り込むことで、検出電極１１の抜けを防止することができる。また、図３（ｂ）に示すように圧入突起１６の周面には、軸方向に沿って延びる突出部１６ａが突設されており、突出部１６ａの上端部には案内用の傾斜面１６ｂが形成されている。而して、検出電極付勢ばね１５の他端側を圧入突起１６に圧入する際には突出部１６ａが圧入代となって、検出電極付勢ばね１５と圧入突起１６との結合を強固にでき、しかも突出部１６ａの上端部には傾斜面１６ｂが設けてあるので、検出電極付勢ばね１５の圧入を容易に行うことができる。尚、検出電極１１は図示しないリード線や導電板を介してトラッキングの検出回路（漏洩検出部１２など）に電気的に接続されており、刃受部材７ａと検出電極１１の間に流れる電流を漏洩検出部１２により検出できるようになっている。
【００３５】
ここで、コンセントＡの組立完了状態においては、検出電極１１の側片１１ａが扉部材９の挿通溝９ｆ内に挿通され、挿通溝９ｆの両側にある両側片の傾斜面９ｅ，９ｅに、鍔部１１ｃの両側部位が当接する。扉部材９は栓刃挿入口４ａ内への栓刃の挿抜動作に応じて開閉動作を行うようになっており、図１（ａ）（ｃ）に示すようにプラグの非接続時に扉部材９が閉位置に移動した状態では、鍔部１１ｃが傾斜面９ｅを越えて本体部９ａの後側端に乗り上げることによって、検出電極付勢ばね１５が撓められ、検出電極１１の側片１１ａ先端部が検出電極挿通孔５の内側に退避した位置に移動する。ここで、検出電極１１を支持する検出電極付勢ばね１５のばね荷重は、２本の扉付勢ばね１０，１０のばね荷重よりも小さくなるようにばね定数が設定されており、扉部材９が閉位置に移動した状態では扉部材９が鍔部１１ｃを押圧する力で検出電極付勢ばね１５が撓められて、検出電極１１が検出電極挿通孔５の内側に後退するようになっている。なお図５（ｂ）に示すように、ボディ２には検出電極付勢ばね１５に対して傾斜面９ｅと反対側に撓み規制壁２ａを設けてあり、鍔部１１ｃが傾斜面９ｅに当接して押された際に、検出電極付勢ばね１５が撓み規制壁２ａと当接することによって、検出電極付勢ばね１５が傾斜面９ｅと反対側に撓められるのを規制することができ、傾斜面９ｅで鍔部１１ｃが押圧されると、検出電極付勢ばね１５が撓むことなく、前後方向（図５中の上下方向）において伸縮するから、検出電極付勢ばね１５を前後方向においてスムーズに進退させることができる。
【００３６】
その後、プラグの栓刃を栓刃挿入口４ａ，４ａにそれぞれ挿入すると、扉部材９の傾斜面９ｄが栓刃に押されることによって、扉部材９をスライド移動させる力が発生し、扉部材９が扉付勢ばね１０の付勢力に抗して閉位置側から開位置側へ移動するのであるが、この間に鍔部１１ｃが当接する傾斜面９ｅの部位も徐々に移動していく。すなわち、扉部材９が閉位置から開位置に向かって移動するにつれて、器具本体（ボディ２）の底部側からより遠い位置で鍔部１１ｃが傾斜面９ｅに当接するので、検出電極付勢ばね１５のばね復帰力を受けて検出電極１１が前面側に移動し、扉部材９が開位置まで移動した状態では、図１（ｂ）（ｅ）に示すように側片１１ａの先端側が検出電極挿通孔５から外側に突出した状態となる。
【００３７】
ところで扉部材９の本体部９ａ後面には、扉部材９が開位置に移動した際に鍔部１１ｃと当接する突起９ｇが形成されており、この突起９ｇを鍔部１１ｃと当接させることで、開位置においても鍔部１１ｃを傾斜面９ｅの傾斜部位に当接させることができる。扉部材９が開位置に移動した状態で、鍔部１１ｃが傾斜面９ｅの終端位置（つまり本体部９ａの下面と傾斜面９ｅとがなす角部）に当接している場合、扉部材９が開位置から閉位置に移動する際に鍔部１１ｃが上記角部に引っ掛かって、検出電極１１の進退動作が不安定になる虞がある。そこで本実施形態では、鍔部１１ｃが当接する傾斜面９ｅを、扉部材９が閉位置に移動した状態でも鍔部１１ｃが傾斜部位に当接するように形成しているので、扉部材９が開位置から閉位置に移動する際に鍔部１１ｃを傾斜面９ｅに沿ってスムーズに移動させることができ、検出電極１１の進退動作を安定して行わせることができる。
【００３８】
一方、栓刃挿入口４ａ，４ａに挿入されていた栓刃が抜かれると、扉部材９の傾斜面９ｄを押す力が無くなるので、扉部材９が扉付勢ばね１０，１０の付勢力を受けて開位置から閉位置に移動する。この時、扉部材９の閉位置側への移動に伴い、鍔部１１ｃが当接する傾斜面９ｄの部位が、器具本体（ボディ２）の底部側により近付く方向に移動するので、扉付勢ばね１０，１０の押力を受けて鍔部１１ｃが検出電極付勢ばね１５を撓めることによって検出電極１１が図１中の下側へ移動する。そして、扉部材９が閉位置に移動した状態では、鍔部１１ｃが傾斜面９ｅを越えて本体部９ａの後側端に乗り上げるので、検出電極１１の側片１１ａ先端部が検出電極挿通孔５の内側に退避した位置まで移動する。
【００３９】
而して、本実施形態のコンセントＡにプラグを接続していない状態では検出電極１１が検出電極挿通孔５の内側に後退しているので、検出電極１１に人体等が接触することはなく、使用者に安心感を与えることができ、また検出電極１１が汚れたり破損するのを防止できる。
【００４０】
また、コンセントＡにプラグを接続した状態では検出電極１１の側片１１ａが検出電極挿通孔５の外側に突出した状態となり、この時、検出電極１１が検出電極付勢ばね１５のばね力を受けてプラグの先端面（一対の栓刃１０１の間の部位）に弾接する。而して、プラグを接続した状態でプラグの先端面に付着した埃などによってトラッキング現象が発生し、栓刃１０１と検出電極１１との間に電流が流れると、漏洩検出部１２がこの時に流れる電流を検出して、接点１３を開極させることで、刃受部材７ａ，７ａへの給電を停止させることができ、トラッキング現象を確実に検出することで安全性を向上させることができる。
【００４１】
また本実施形態では、扉部材９の開閉動作に応じて検出電極付勢ばね１５を伸縮させることで、検出電極１１を検出電極挿通孔５の内部に退避させる状態と、検出電極挿通孔５の外側に突出させる状態とを切り換えることができ、検出電極付勢ばねの伸縮に応じて検出電極１１が前後方向に移動するだけなので、器具本体１の前後方向の寸法が多少増えたとしても、左右方向および上下方向において検出電極やその駆動機構を収容するスペースを小さくできる。
【００４２】
ところで、図７（ａ）および図８示すようにカバー３の前壁裏側には、閉位置にある扉部材９が一方の栓刃挿入口４ａから挿入された栓刃１０１で押圧され、他方の栓刃挿入口４ａに臨む扉部材９の部位がカバー３の前壁裏側に接近するように傾斜した状態で、カバー３の前壁裏側に接近した扉部材９の部位と係止して扉部材９の開方向への移動を規制する移動規制突起３ｃが、閉位置にある扉部材９に対して開方向寄りに突設されている。ここで、両方の栓刃挿入口４ａ，４ａに栓刃が挿入された場合は、各翼片９ｂ，９ｂの傾斜面９ｄ，９ｄが栓刃によってバランス良く押圧されるので、扉部材９が傾かず、扉部材９の翼片９ｂが移動規制突起３ｃに当たらないので、扉部材９を開位置にスムーズに移動させることができる。一方、図８（ｂ）に示すようにいたずら等で片方（図中左側）の栓刃挿入口４ａのみに挿入された物体によって扉部材９が押圧された場合には、扉部材９が傾斜して、押圧された側と反対側（図中右側）の翼片９ｂが移動規制突起３ｃに係止することで、扉部材９が開方向に移動するのを規制でき、いたずら等によって扉部材９が開けられるとともに、検出電極１１が外側に突出するのを防止でき、安全性を向上させることができる。
【００４３】
尚、本実施形態では漏電遮断機能を有するコンセントを例に説明を行ったが、漏電遮断機能を持たない一般的なコンセントに適用しても良い。
【００４４】
（実施形態２）
本発明の実施形態２を図１０〜図１４に基づいて説明する。上述した実施形態１では１個の扉部材９で２個の栓刃挿入口４ａ，４ａを開閉しているのに対して、本実施形態では２個の扉体２２，２２でそれぞれ対応する栓刃挿入口４ａ，４ａを開閉するようにしている。尚、扉体２２による開閉機構や検出電極２０以外の構成は実施形態１と同様であるので、共通する構成要素には同一の符号を付して、その説明は省略する。
【００４５】
検出電極２０は細長の導電板からなり、中間部に矩形板状の鍔部２０ｃを備えるとともに、鍔部２０ｃに対して長手方向一端側の部位が検出電極挿通孔５内に挿入される電極部２０ａとなり、長手方向他端側の部位から検出電極付勢ばね１５の一端側が圧入固定されるばね固定片２０ｂが構成される。図１３に示すように、ボディ２の底面には検出電極挿通孔５に対応する位置に圧入突起１６を設けてあり、この圧入突起１６に検出電極付勢ばね１５の一端側を圧入するとともに、検出電極付勢ばね１５の他端側に検出電極２０を圧入することで、検出電極２０が検出電極付勢ばね１５を介してボディ２に取り付けられるようになっている。
【００４６】
２個の扉体２２，２２は、図１２及び図１４（ａ）に示すように略同一の形状に形成されており、各扉体２２は、平面視の形状がコ字形に形成された本体部２２ａと、本体部２２ａの中央片の前面側であって、閉位置において栓刃挿入口４ａに臨む部位に設けられた傾斜面２２ｂと、本体部２２ａの両側片に設けられて検出電極２０の鍔部２０ｃを押さえる押さえ片２２ｃと、本体部２２ａの両側片外側面に扉体２２のスライド方向に沿って突設された幅細の矩形板状のガイド片２２ｄと、本体部２２ａの両側片先端部の前面に突設された規制突起２２ｅとを一体に備えている。尚、押さえ片２２ｃの先端面には、閉位置に近い側で検出電極２０の鍔部２０ｃが当接する部位ほど、器具本体（ボディ２）の底部側により近い位置で当接するように傾斜する傾斜面が形成されている。また各扉体２２，２２に２個ずつ設けたガイド片２２ｄは、器具本体１の内部に収納した状態で一方の扉体２２のガイド片２２ｄの上面に、他方の扉体２２のガイド片２２ｄの下面が当接するような高さ位置に設けられている。
【００４７】
扉付勢ばね２３は弾性を有する板金から形成され、略コ字形の固定片２３ａと、固定片２３ａの中央片から、固定片２３ａに対して斜めに交差する方向に突出する弾接片２３ｂとを一体に備えている。
【００４８】
中枠２１は、後述する収納凹部３ｄの内壁に沿って配置される四角枠状であって、左右の枠片の外側面には扉付勢ばね２３の固定片２３ａが挿入される取付溝２１ａを形成してあり、左右の枠片の外側面中央部には弾接片２３ｂを内側に突出させるための切欠２１ｂを設けてある。
【００４９】
カバー３の前壁裏面には、図１４（ｂ）に示すように２個の扉体２２，２２を収納する収納凹部３ｄが形成されており、２個の扉体２２，２２は、図１０及び図１２に示すように互いの傾斜面２２ｂがそれぞれ内側を向き、且つ、一方の扉体２２のガイド片２２ｄを前側（図１２（ｂ）の上側）、他方の扉体２２のガイド片２２ｄを後側（図１２（ｂ）の下側）として前後に重ねた状態で収納凹部３ｄ内に収納される。そして、図１０に示すように収納凹部３ｄ内に扉体２２，２２を収納した後に、板ばねからなる扉付勢ばね２３，２３を保持した中枠２１を収納凹部３ｄの開口部に取り付けると、両扉体２２，２２のガイド片２２ｄの内、後側に位置するガイド片２２ｄが中枠２１の枠片前面に当接することで、カバー３の前壁と中枠２１との間に扉体２２，２２が支持され、両扉体２２，２２が栓刃挿入口４ａを開放する開位置と栓刃挿入口４ａを閉塞する閉位置との間で開閉自在となる。また中枠２１に保持された扉付勢ばね２３の弾接片２３ｂが、切欠２１ｂを通して扉体２２の本体部２２ａに当接することによって、扉体２２が栓刃挿入口４ａを閉塞する方向に弾性付勢されるのである。
【００５０】
そして、ボディ２に刃受部材７ａ，７ｂなどの部品を組み込んだ状態で、扉体２２，２２を保持したカバー３とボディ２とを結合すると、図１０及び図１２（ｂ）に示すように、各扉体２２に２個ずつ設けた押さえ片２２ｃが、検出電極２０の鍔部２０ｃの四隅にそれぞれ当接することになり、鍔部２０ｃの四隅が押されることで、検出電極２０の状態を安定させることができる。
【００５１】
而して、図１０（ａ）に示すように２個で１組の栓刃挿入口４ａ，４ａに栓刃を挿入していない状態では（プラグの非接続時）、各扉体２２が扉付勢ばね２３の付勢力を受けて、互いに近付く方向にスライド移動し、傾斜面２２ｂによって栓刃挿入口４ａが閉塞される。また扉体２２の閉位置側への移動に伴って、各扉体２２の押さえ片２２ｃが検出電極２０に近付く方向に移動すると、鍔部２０ｃが押さえ片２２ｃの傾斜面に押圧される。ここで、検出電極付勢ばね１５の付勢力に比べて扉付勢ばね２３の付勢力が大きな値に設定されているので、鍔部２０ｃが押さえ片２２ｃに押されることによって、検出電極２０の全体が器具本体１の底部側に移動し、扉体２２が閉位置に移動した状態では鍔部２０ｃが押さえ片２２ｃの後側面（図１０（ａ）の下側面）に乗り上げた状態となる。この時、検出電極２０の電極部２０ａは検出電極挿通孔５の内側に後退しており、検出電極２０に人体等が接触することはないから、使用者に安心感を与えることができ、また検出電極２０が汚れたり破損するのを防止できる。またこの時、扉体２２が検出電極付勢ばね１５のばね力を受けてカバー３の前壁側に浮き上がろうとするが、扉体２２の両側片の前面に設けた規制突起２２ｅ（浮き上がり防止手段）がカバー３の前壁裏面に当接することによって、扉体２２の浮き上がりが防止され、扉体２２の開閉動作をスムーズに行わせることができる。
【００５２】
一方、図１０（ｂ）に示すように栓刃挿入口４ａ，４ａにプラグ１００の栓刃１０１を挿入すると、栓刃１０１が扉体２２の傾斜面２２ｂを押圧することによって、扉体２２をスライド移動させる力が発生し、扉体２２が扉付勢ばね２３の付勢力に抗して開方向へ移動する。扉体２２の開方向への移動に伴い、各扉体２２の押さえ片２２ｃが検出電極２０から遠ざかる方向に移動すると、鍔部２０ｃが検出電極付勢ばね１５のばね力を受け、押さえ片２２ｃの傾斜面に沿ってカバー３の前壁側へ移動する。そして、扉体２２が栓刃挿入口４ａの全体を開放する位置（開位置）まで移動すると、検出電極２０の全体が前方に移動し、電極部２０ａが検出電極挿通孔５から外側に突出した状態となる。この時、検出電極２０の電極部２０ａが検出電極付勢ばね１５のばね力を受けてプラグ１００の栓刃１０１，１０１間の部位に弾接するので、プラグ１００を接続した状態でプラグ１００の先端面に付着した埃などによってトラッキング現象が発生し、栓刃１０１と検出電極２０との間に電流が流れると、漏洩検出部１２がこの時に流れる電流を検出して、接点１３を開極させることで、刃受部材７ａ，７ａへの給電を停止させることができ、トラッキング現象を確実に検出することで安全性を向上させることができる。
【００５３】
その後、コンセントＡからプラグ１００を抜き取ると、栓刃１０１が扉体２２の傾斜面２２ｂを押圧する力が無くなり、扉体２２が扉付勢ばね２３のばね力を受けて開位置から閉位置へスライド移動する。そして扉体２２のスライド移動に伴い、検出電極２０の鍔部２０ｃが扉体２２の押さえ片２２ｃで押圧されることにより、検出電極２０が検出電極挿通孔５の内側に退避した状態となる（図１０（ａ）参照）。
【００５４】
このように本実施形態では、扉体２２の開閉動作に応じて扉体２２の押さえ片２２ｃが検出電極２０の鍔部２０ｃを押圧し、検出電極付勢ばね１５を伸縮させることで、検出電極２０を検出電極挿通孔５の内側に退避させる状態と、検出電極挿通孔５の外側に突出させる状態とを切り換えることができ、検出電極付勢ばね１５の伸縮に応じて検出電極２０が前後方向に移動するだけなので、器具本体１の前後方向の厚みが多少増えたとしても、左右方向および上下方向において検出電極２０やその駆動機構を収容するスペースを小さくできる。
【００５５】
また、一方の扉体２２に設けた２個の押さえ片２２ｃが鍔部２０ｃの４隅の内の２箇所を押さえるとともに、他方の扉体２２に設けた２個の押さえ片２２ｃが残りの２箇所を押さえることで、鍔部２０ｃの４隅を全て押さえることができるから、検出電極２０が安定した状態を保つことができる。
【００５６】
また本実施形態では、２個１組の栓刃挿入口４ａ，４ａを開閉する扉部材を２つの扉体２２，２２で構成し、各扉体２２，２２を栓刃挿入口４ａ，４ａの配列方向と平行な方向（つまり栓刃挿入口４ａの短手方向）にスライド移動させているので、実施形態１のように栓刃挿入口４ａ，４ａを同時に開閉する扉部材９を、栓刃挿入口４ａ，４ａの配列方向に対して略直交する方向（つまり栓刃挿入口４ａの長手方向）にスライド移動させる場合に比べて、扉体２２の移動量を少なくでき、扉体２２やその開閉機構を収容するのに必要な収納空間を小さくできるという利点がある。
【００５７】
（実施形態３）
本発明の実施形態３を図１５〜図１８に基づいて説明する。本実施形態では、実施形態２で説明したコンセントＡにおいて、片方の栓刃挿入口４ａのみに栓刃などが挿入された際に扉体２４が開いてしまうのを防止する機能を追加したものである。尚、扉体２４以外の構成は実施形態２と同様であるので、共通する構成要素には同一の符号を付して、その説明は省略する。
【００５８】
２個の扉体２４，２４は、図１７及び図１８に示すように同一の形状に形成されており、各扉体２４は、器具本体１の左右方向に沿って配置される矩形板状の本体部２４ａと、本体部２４ａの長手方向一端側から本体部２４ａと直交する方向に突出し、前面側に栓刃を受ける傾斜面が形成された栓刃受部２４ｂと、本体部２４ａの下側部位に設けられて検出電極２０の鍔部２０ｃを押さえる押さえ部２４ｃと、本体部２４ａの前面部に突設された規制突起２４ｄと、本体部２４ａの長手方向他端側から栓刃受部２４ｂと同じ方向に突出する短冊状の片刃挿入防止片２４ｅとを一体に備え、片刃挿入防止片２４ｅは開位置において他方の扉体２４の栓刃受部２４ｂの後方位置に配置されている。また押さえ部２４ｃにおいて鍔部２０ｃと当接する部位には、閉位置に近い側で鍔部２０ｃが当接する部位ほど、器具本体（ボディ２）の底部側により近い位置で当接するように傾斜する傾斜面が形成されている。
【００５９】
そして、２個の扉体２４，２４は、図１５（ａ）（ｂ）に示すように栓刃受部２４ｂの傾斜面がそれぞれ内側を向き、且つ、一方の扉体２４の栓刃受部２４ｂを前側、他方の扉体２４の片刃挿入防止片２４ｅを後側として前後に重ねた状態でカバー３の収納凹部３ｄ内に収納される。そして、収納凹部３ｄ内に扉体２４，２４を収納した後に、板ばねからなる扉付勢ばね２３，２３を保持した中枠２１を収納凹部３ｄの開口部に取り付けると、両扉体２４，２４の本体部２４ａ，２４ａの下側面が中枠２１の枠片前面に当接することで、カバー３の前壁と中枠２１との間に扉体２４，２４が支持され、両扉体２４，２４が栓刃挿入口４ａを開放する開位置と栓刃挿入口４ａを閉塞する閉位置との間で開閉自在となっている。また中枠２１に保持された扉付勢ばね２３の弾接片２３ｂが、切欠２１ｂを通して扉体２４の栓刃受部２４ｂに当接することによって、扉体２４が栓刃挿入口４ａを閉塞する方向に弾性付勢されるのである。
【００６０】
而して、図１５（ａ）に示すように２個で１組の栓刃挿入口４ａ，４ａに栓刃を挿入していない状態では（プラグの非接続時）、各扉体２４が扉付勢ばね２３の付勢力を受けて、互いに近付く方向にスライド移動し、栓刃受部２４ｂによって栓刃挿入口４ａが閉塞される。また扉体２４の閉位置側への移動に伴って、各扉体２４の押さえ部２４ｃが検出電極２０に近付く方向に移動すると、鍔部２０ｃが押さえ部２４ｃの傾斜面に押圧される。ここで、検出電極付勢ばね１５の付勢力に比べて扉付勢ばね２３の付勢力が大きな値に設定されているので、鍔部２０ｃが押さえ部２４ｃに押されることによって、検出電極２０の全体が器具本体１の底部側に移動し、扉体２４が閉位置に移動した状態では鍔部２０ｃが押さえ部２４ｃの後側面（図１５（ａ）の下側面）に乗り上げた状態となる。
【００６１】
この時、検出電極２０の電極部２０ａは検出電極挿通孔５の内側に後退しており、検出電極２０に人体等が接触することはないから、使用者に安心感を与えることができ、また検出電極２０が汚れたり破損するのを防止できる。またこの時、扉体２４が検出電極付勢ばね１５のばね力を受けてカバー３の前壁側に浮き上がろうとするが、扉体２４の本体部２４ａ前面部に設けた規制突起２４ｄ（浮き上がり防止手段）がカバー３の前壁裏面に当接することによって、扉体２４の浮き上がりが防止され、扉体２４の開閉動作をスムーズに行わせることができる。
【００６２】
一方、図１５（ｂ）に示すように栓刃挿入口４ａ，４ａにプラグ１００の栓刃１０１を挿入すると、栓刃１０１が扉体２４の栓刃受部２４ｂを押圧することによって、扉体２４を開方向にスライド移動させる力が発生し、扉体２４が扉付勢ばね２３の付勢力に抗して開方向へ移動する。扉体２４の開方向への移動に伴い、各扉体２４の押さえ部２４ｃが検出電極２０から遠ざかる方向に移動すると、鍔部２０ｃが検出電極付勢ばね１５のばね力を受け、押さえ部２４ｃの傾斜面に沿ってカバー３の前壁側へ移動する。そして、扉体２４が栓刃挿入口４ａの全体を開放する位置（開位置）まで移動すると、検出電極２０の全体が前方へと移動し、電極部２０ａが検出電極挿通孔５から外側に突出した状態となる。
【００６３】
この時、検出電極２０の電極部２０ａが検出電極付勢ばね１５のばね力を受けてプラグ１００の先端面において栓刃１０１，１０１の間の部位に弾接するので、プラグ１００を接続した状態でプラグ１００の先端面に付着した埃などによってトラッキング現象が発生し、栓刃１０１と検出電極２０との間に電流が流れると、漏洩検出部１２がこの時に流れる電流を検出して、接点１３を開極させることで、刃受部材７ａ，７ａへの給電を停止させることができ、トラッキング現象を確実に検出することで安全性を向上させることができる。
【００６４】
その後、コンセントＡからプラグ１００を抜き取ると、栓刃１０１が扉体２４の栓刃受部２４ｂを押圧する力が無くなり、扉体２４が扉付勢ばね２３のばね力を受けて開位置から閉位置へスライド移動する。そして扉体２４のスライド移動に伴い、検出電極２０の鍔部２０ｃが扉体２４の押さえ部２４ｃで押圧されることにより、検出電極２０が検出電極挿通孔５の内側に退避した状態となる（図１５（ａ）参照）。
【００６５】
このように本実施形態では、扉体２４の開閉動作に応じて扉体２４の押さえ部２４ｃが検出電極２０の鍔部２０ｃを押圧し、検出電極付勢ばね１５を伸縮させることで、検出電極２０を検出電極挿通孔５の内側に退避させる状態と、検出電極挿通孔５の外側に突出させる状態とを切り換えることができ、検出電極付勢ばね１５の伸縮に応じて検出電極２０が前後方向に移動するだけなので、器具本体１の前後方向の厚みが多少増えたとしても、左右方向および上下方向において検出電極２０やその駆動機構を収容するスペースを小さくできる。
【００６６】
また、一方の栓刃挿入口４ａのみに栓刃などが挿入された場合、一方の栓刃挿入口４ａから挿入された栓刃などに栓刃受部２４ｂが押圧されることで、一方の扉体２４のみが開方向に移動させられるのであるが、他方の扉体２４は閉位置にとどまっている。したがって、この扉体２４の片刃挿入防止片２４ｅが栓刃挿入口４ａに対応する位置に留まり、栓刃などの挿入を防止しているので、片方の栓刃挿入口４ａのみから栓刃などが挿入されるのを防止することができ、また片刃挿入によって検出電極２０が外側に突出するのを防止することができる。
【００６７】
なお、本発明の精神と範囲に反することなしに、広範に異なる実施形態を構成することができることは明白なので、この発明は、特定の実施形態に制約されるものではない。
【図面の簡単な説明】
【００６８】
【図１】実施形態１のコンセントを示し、（ａ）（ｂ）は一部省略せる外観斜視図、（ｃ）〜（ｅ）は検出電極および扉部材の動作を説明する要部拡大図である。
【図２】同上の分解斜視図である。
【図３】（ａ）は同上に用いるボディの斜視図、（ｂ）はＣ部拡大図である。
【図４】（ａ）は同上に用いる検出電極の説明図、（ｂ）は同上に用いるボディに検出電極を組み込んだ状態の説明図である。
【図５】（ａ）は同上に用いる扉部材の側面図、（ｂ）は扉部材及び検出電極をボディに組み込んだ状態の説明図である。
【図６】同上に用いる扉部材及び扉付勢ばねの説明図である。
【図７】（ａ）は同上に用いるカバーを背面側から見た斜視図、（ｂ）はカバーに扉部材を組み込んだ状態の説明図である。
【図８】（ａ）（ｂ）は同上に用いる扉部材の開閉動作の説明図である。
【図９】同上の内部回路図である。
【図１０】（ａ）（ｂ）は実施形態２のコンセントに用いる検出電極および扉部材の動作を説明する説明図である。
【図１１】同上の分解斜視図である。
【図１２】（ａ）は同上に用いる扉部材の斜視図、（ｂ）は扉部材および検出電極の説明図である。
【図１３】（ａ）は検出電極および検出電極付勢ばねの説明図、（ｂ）はボディを前面側から見た斜視図である。
【図１４】（ａ）は同上に用いる扉部材の開閉機構の分解斜視図、（ｂ）はカバーを背面側から見た斜視図である。
【図１５】（ａ）（ｂ）は実施形態３のコンセントに用いる検出電極および扉部材の動作を説明する説明図である。
【図１６】同上の分解斜視図である。
【図１７】（ａ）（ｂ）は同上に用いる扉部材の説明図である。
【図１８】（ａ）は同上に用いる扉部材を背面側から見た斜視図、（ｂ）は扉部材および検出電極の説明図である。
【符号の説明】
【００６９】
Ａ  コンセント
１  器具本体
２  ボディ
３  カバー
４ａ  栓刃挿入口
５  検出電極挿通孔
７ａ，７ｂ  刃受部材
９  扉部材
１０  扉付勢ばね
１１  検出電極
１１ｃ  鍔部（突部）
１２  漏洩検出部（トラッキング検出手段）
１３  接点（遮断手段）
１５  検出電極付勢ばね
１００  プラグ
１０１  栓刃
【図１】
2008159479.tif 000003
【図２】
2008159479.tif 000004
【図３】
2008159479.tif 000005
【図４】
2008159479.tif 000006
【図５】
2008159479.tif 000007
【図６】
2008159479.tif 000008
【図７】
2008159479.tif 000009
【図８】
2008159479.tif 000010
【図９】
2008159479.tif 000011
【図１０】
2008159479.tif 000012
【図１１】
2008159479.tif 000013
【図１２】
2008159479.tif 000014
【図１３】
2008159479.tif 000015
【図１４】
2008159479.tif 000016
【図１５】
2008159479.tif 000017
【図１６】
2008159479.tif 000018
【図１７】
2008159479.tif 000019
【図１８】
2008159479.tif 000020